(57)【要約】【課題】  光学式記録媒体の粗悪品の使用を効果的に排除することができる光学式記録媒体及びその記録・再生装置を提供する。【解決手段】  光学式記録媒体１は、リードインエリア３に形成されるコントロールデータゾーン１０内に、当該記録媒体１の製造者又は販売者に関する情報データを識別情報データＩＤで記録してある。光学式記録媒体記録・再生装置２１は、光学式記録媒体１を装着した時、記録媒体１のリードインエリア３に形成されるコントロールデータゾーン１０内をサーチして、当該記録媒体１の製造者又は販売者に関する情報データである識別情報データＩＤを検出した場合には、記録・再生装置２１はそのまま作動状態を維持し、当該記録媒体１の製造者又は販売者に関する情報データである識別情報データＩＤを検出しなかった場合には、記録・再生装置２１は作動状態を停止する。【選択図】  図４
2010129158.tif 000002
【特許請求の範囲】
【請求項１】
記録媒体のリードインエリアに形成されるコントロールデータゾーン内に、当該記録媒体の製造者又は販売者に関する情報データを識別情報データＩＤで記録してなる光学式記録媒体。
【請求項２】
コントロールデータゾーン内のディスクマニュファクチュアリングインフォメーシヨン内に、当該記録媒体の製造者又は販売者に関する情報データを識別情報データＩＤで記録したことを特徴とする請求項１に記載の光学式記録媒体。
【請求項３】
光学式記録媒体を装着した時、記録媒体のリードインエリアに形成されるコントロールデータゾーン内をサーチして、当該記録媒体の製造者又は販売者に関する情報データである識別情報データＩＤを検出した場合には、記録・再生装置はそのまま作動状態を維持し、当該記録媒体の製造者又は販売者に関する情報データである識別情報データＩＤを検出しなかった場合には、記録・再生装置は作動状態を停止することを特徴とする光学式記録媒体記録・再生装置。
【請求項４】
コントロールデータゾーン内のディスクマニュファクチュアリングインフォメーシヨン内をサーチすることを特徴とする請求項３に記載の光学式記録媒体記録・再生装置。
【請求項５】
さらに、当該記録媒体の製造者又は販売者又は販売者に関する情報データである識別情報データＩＤを検出しなかった場合には、前記記録・再生装置は作動状態を停止し、ローディング機構によって記録媒体を排出する動作を実行することを特徴とする請求項３又は４に記載の光学式記録媒体記録・再生装置。
【発明の詳細な説明】
【技術分野】
【０００１】
本発明は、文字・映像・音声データやコンプュータプログラム等の情報データを記録する光学式記録媒体に関し、特には、光学式記録媒体の品質を保証することができ、粗悪品を効果的に排除することができる光学式記録媒体及びその記録・再生装置に関する。
【背景技術】
【０００２】
近年、光学式記録媒体として、ユーザによる記録が可能で、数ギガバイト（Ｇbyte）の記録容量を有する書込可能なＤＶＤ−Ｒ（Digital Versatile Disc-Recordable）、書換可能なＤＶＤ−ＲＷ（Digital Versatile
Disc-Rewritable）が広く使用されるようになってきた。そして、大容量、かつ、書込又は書換可能な光学式記録媒体及びその記録・再生装置の著しい性能向上によって、高品質で殆ど劣化のない大容量の文字・映像・音声データやコンプュータプログラム等の情報データを記録できるようになってきた。
【０００３】
しかし、ユーザによる高品質かつ大容量の記録ができるようになったことに伴い、ＤＶＤ−ＲＯＭ（Read-Only Memory）等の他の記録媒体から情報データを読取って、ＤＶＤ−Ｒ、ＤＶＤ−ＲＷに不正にコピーしたものが出回ったり、ＤＶＤ−Ｒ、ＤＶＤ−ＲＷの粗悪品が出回ったりするようになってきた。
【０００４】
このような不正コピーを防止する方法としては、記録媒体の制御データ記録領域の情報データをコピーできないようにして、複製を防止する方法が知られている（例えば、特許文献１参照）。しかし、ＤＶＤ−Ｒ、ＤＶＤ−ＲＷの粗悪品の使用を排除する方法は、従来、特に知られていない。
【０００５】
【特許文献１】特開２００２−１５０５５７号公報
【発明の開示】
【発明が解決しようとする課題】
【０００６】
上記のように、ＤＶＤ−Ｒ、ＤＶＤ−ＲＷの粗悪品の使用を排除する方法は、特に知られておらず、何等かの適当な方法を考案することが望まれていた。
【０００７】
本発明は、このような従来の問題点に鑑みて為されたものであって、ＤＶＤ−Ｒ、ＤＶＤ−ＲＷ等の記録媒体自体に特別な処理を施すことなく、記録媒体の製造価格を高くすることなく、比較的簡単な方法によって、ＤＶＤ−Ｒ、ＤＶＤ−ＲＷの粗悪品の使用を効果的に排除することができる光学式記録媒体及びその記録・再生装置を提供することを目的とする。
【課題を解決するための手段】
【０００８】
上記目的を達成するために、本発明の光学式記録媒体は、記録媒体のリードインエリアに形成されるコントロールデータゾーン内に、当該記録媒体の製造者又は販売者に関する情報データを識別情報データＩＤ（Identification Data）で記録してなるものであることを特徴とする。
【０００９】
又、本発明の光学式記録媒体記録・再生装置は、光学式記録媒体を装着した時、記録媒体のリードインエリアに形成されるコントロールデータゾーン内をサーチして、当該記録媒体の製造者又は販売者に関する情報データである識別情報データＩＤを検出した場合には、記録・再生装置はそのまま作動状態を維持し、当該記録媒体の製造者又は販売者に関する情報データである識別情報データＩＤを検出しなかった場合には、記録・再生装置は作動状態を停止することを特徴とする。
【００１０】
ここで、コントロールデータゾーン内のディスクマニュファクチュアリングインフォメーシヨン内に、当該記録媒体の製造者又は販売者に関する情報データを識別情報データＩＤで記録しておくのが好ましい。
【発明を実施するための最良の形態】
【００１１】
先ず、本発明の光学式記録媒体の好適な実施形態について、図面を参照して具体的に説明する。
図１は、本発明の光学式記録媒体の平面図、図２は、光学式記録媒体のデータ構造を示す図、図３は、リードインエリアのデータ構造を示す図、図４は、コントロールデータゾーンのデータ構造を示す図である。
【００１２】
本発明の光学式記録媒体１は、図１及び図２に示すように、ユーザによって情報データが書込みされるデータエリア２、このデータエリア２の内側に形成されるリードインエリア３、データエリア２の外側に形成されるリードアウトエリア４から構成される。
【００１３】
又、リードインエリア３は、図３に示すように、イニシャルゾーン５、バッファゾーン６、フィジカルフォーマットインフォメーションゾーン７、リファランスコードゾーン８、バッファゾーン９、コントロールデータゾーン１０、エクストラボーダゾーン１１から構成される。
【００１４】
ここで、コントロールデータゾーン１０は、記録媒体の種類、当該記録媒体に対する最適の記録パワー、再生パワー等のコントロールデータを記録してある。
【００１５】
さらに、コントロールデータゾーン１０は、図４に示すように、フィジカルフォーマットインフォメーション１２、ディスクマニュファクチュアリングインフォメーション１３、コンテントプロバイダーインフォメーション１４に区分される。
【００１６】
ここで、ディスクマニュファクチュアリングインフォメーション１３は、記録媒体の製造者に関する情報データが記録されるが、従来は、記録・再生装置の作動時には、光ピックアップによるデータ検出を実行しない領域である。
【００１７】
本発明の光学式記録媒体１は、このディスクマニュファクチュアリングインフォメーション１３内に、当該記録媒体の製造者又は販売者に関する情報データを識別情報データＩＤ（Identification Data）で記録したことを特徴とする。
識別情報データＩＤは、例えば、製造者又は販売者に対応した「０１２３４５Ａ＄」のような複数桁の数字・文字・記号等から構成されるものであるのが好ましい。
【００１８】
次に、本発明の光学式記録媒体の記録・再生装置について、図面を参照して具体的に説明する。
図５は、本発明の光学式記録媒体の記録・再生装置の構成ブロック図である。
【００１９】
本発明の記録・再生装置２１は、図５に示すように、光ピックアップ２２と、再生増幅器２３と、ＲＦ信号検出器２４と、ＲＦ信号デコーダ２５と、サーボ回路２６と、スピンドルモータ２７と、プロセッサ（ＣＰＵ）２８と、書込開始信号生成器２９と、エンコーダ３０と、パワー制御回路３１と、レーザ駆動回路３２と、インターフェース３３とから構成され、記録・再生装置２１は、インターフェース３３を介して、ホストコンピュータ３４に接続されている。
【００２０】
本発明の記録・再生装置２１は、光学式記録媒体１を装着した時、記録媒体１のリードインエリア３に形成されるコントロールデータゾーン１０に形成されたディスクマニュファクチュアリングインフォメーション１３内を光ピックアップ２２がサーチして、当該記録媒体１の製造者又は販売者に関する情報データである識別情報データＩＤを検出した場合には、記録・再生装置２１はそのまま作動状態を維持し、識別情報データＩＤを検出しなかった場合には、記録・再生装置２１は作動状態を停止する、という動作を実行するプログラムをプロセッサ２８内のメモリに格納してあることを特徴とする。
【００２１】
さらに、本発明の記録・再生装置２１は、当該記録媒体１の製造者又は販売者に関する情報データである識別情報データＩＤを検出しなかった場合には、記録・再生装置２１は作動状態を停止し、ローディング機構３５によって記録媒体１を排出する、という動作を実行するプログラムをプロセッサ２８内のメモリに格納してあることを特徴とする。
【００２２】
本発明の記録・再生装置２１は、以上のような構成であるから、ローディング機構３５によって記録媒体１を挿入すれば、サーボ回路２６が作動して、スピンドルモータ２７が駆動し、記録媒体１が回転を開始する。
【００２３】
又、光ピックアップ２２は、記録媒体１の内周側に移動して、コントロールデータゾーン１０に形成されたディスクマニュファクチュアリングインフォメーション１３内をサーチする。
【００２４】
ここで、光ピックアップ２２が記録媒体１の製造者又は販売者に関する情報データである識別情報データＩＤを検出した場合には、記録・再生装置２１はそのまま作動状態を維持し、情報データの再生を実行する。
【００２５】
ここで、当該記録媒体１の製造者又は販売者に関する情報データである識別情報データＩＤを検出した、ということは、当該記録媒体１が正規の製造者又は販売者によって製造又は販売されたものであることを証明することになる。
【００２６】
一方、光ピックアップ２２が記録媒体１の製造者又は販売者に関する情報データである識別情報データＩＤを検出しなかった場合には、記録・再生装置２１は作動状態を停止し、情報データの再生を実行しない。
【００２７】
ここで、当該記録媒体１の製造者又は販売者に関する情報データである識別情報データＩＤを検出しなかった、ということは、当該記録媒体１が正規の製造者又は販売者によって製造又は販売されたものではないことを証明することになる。
【００２８】
以上のように、記録媒体１の製造者又は販売者に関する情報データである識別情報データＩＤを検出したか否かによって、当該記録媒体１が正規の製造者又は販売者によって製造又は販売されたものであるか否か、直ちに判断することができる。
【００２９】
さらに、本発明の記録・再生装置２１は、当該記録媒体１の製造者又は販売者に関する情報データである識別情報データＩＤを検出しなかった場合には、ローディング機構３５によって記録媒体１を排出する。
【００３０】
このような動作を実行することによって、当該記録媒体１が正規の製造者又は販売者によらない粗悪品であることをより明確に知ることができる。
【００３１】
本発明の記録媒体１は、記録媒体１のリードインエリア３に形成されるコントロールデータゾーン１０内に、当該記録媒体１の製造者又は販売者に関する情報データを識別情報データＩＤで記録してなるものであるから、記録媒体自体に特別な処理を施すことなく、しかも、記録媒体の製造価格を高くすることなく、粗悪品の使用を効果的に排除することができる。
【００３２】
又、本発明の光学式記録媒体記録・再生装置２１は、光学式記録媒体１を装着した時、記録媒体１のリードインエリア３に形成されるコントロールデータゾーン１０内をサーチして、当該記録媒体１の製造者又は販売者に関する情報データである識別情報データＩＤを検出した場合には、記録・再生装置２１はそのまま作動状態を維持し、当該記録媒体１の製造者又は販売者に関する情報データである識別情報データＩＤを検出しなかった場合には、記録・再生装置２１は作動状態を停止するようにしたものであり、記録・再生装置２１のプロセッサ２８のメモリに格納するプログラムさえ変更すれば所期の動作を実行するから、記録媒体の製造価格を高くすることなく、比較的簡単な方法によって、粗悪品の使用を効果的に排除することができる。
【図面の簡単な説明】
【００３３】
【図１】本発明の光学式記録媒体の平面図である。
【図２】光学式記録媒体のデータ構造を示す図である。
【図３】リードインエリアのデータ構造を示す図である。
【図４】コントロールデータゾーンのデータ構造を示す図である。
【図５】本発明の光学式記録媒体の記録・再生装置の構成ブロック図である。
【符号の説明】
【００３４】
１  光学式記録媒体
２  データエリア
３  リードインエリア
４  リードアウトエリア
１０  コントロールデータゾーン
１３  ディスクマニュファクチュアリングインフォメーシヨン
２１  記録・再生装置
２２  光ピックアップ
２８  プロセッサ
【図１】
2010129158.tif 000003
【図２】
2010129158.tif 000004
【図３】
2010129158.tif 000005
【図４】
2010129158.tif 000006
【図５】
2010129158.tif 000007